【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
曲線状に配設された複数の固定Ｘ線源と、前記複数のＸ線源に対して回転するように構成された検出器とを含む、放射線ＣＴ撮像システムによって放射線検査を実行する方法であって、前記放射線検査方法は、
前記複数のＸ線源および前記検出器を用いて第１の回転速度で第１の走査を実行して、前記検出器に衝突する前記複数のＸ線源による第１の放射を用いて対象の第１の視野（ＦＯＶ）の第１のＣＴ投影データを取得することと、
前記第１のＦＯＶ内の関心平面を識別することと、
前記複数の固定Ｘ線源および前記検出器を用いて第２の回転速度で第２の走査を実行して、前記検出器の一部分に衝突する前記複数のＸ線源による第２の放出物を用いて前記第１のＦＯＶ内の前記関心平面を含む第２のより小さいＦＯＶの第２のＣＴ投影データを取得することであって、前記第２の回転速度は、前記第１の回転速度を超える、データを取得することと、
前記検出器から前記第１のＣＴ投影データおよび前記第２のＣＴ投影データの前記データを出力することと、を含む、方法。
【請求項２】
放射線ＣＴ撮像システムであって、
曲線状に配設された複数のＸ線源放射と、
前記複数のＸ線源放射に対して回転するように構成された電池式の検出器と、
前記複数のＸ線源放射の断面を制限する少なくとも１つの空間的制約デバイスと、を備え、
前記複数のＸ線源放射、前記検出器、および前記少なくとも１つの空間的制約デバイスは、（ｉ）前記検出器に衝突する前記曲面状に配設されたＸ線源放射の第１の放射の第１の視野（ＦＯＶ）を得る第１の構成、および（ｉｉ）前記検出器に衝突する前記曲面状に配設されたＸ線源放射の第２の放射の第２のより小さいＦＯＶを得る第２の構成の両方で構成され、
前記第１の放射および前記第２の放射は、重複するＦＯＶの容積測定画像を決定する、放射線ＣＴ撮像システム。
【請求項３】
第１の走査は、前記第１の構成内の第１の湾曲した空間的配列で複数のＸ線源を用いて第１の回転速度で実行され、第２の走査のより速い走査は、前記第２の構成内の前記第１の湾曲した空間的配列で前記複数のＸ線源を用いて第２の回転速度で実行される、請求項２に記載の放射線ＣＴ撮像システム。
【手続補正２】
【補正対象書類名】明細書
【補正対象項目名】００６４
【補正方法】変更
【補正の内容】
【００６４】
本出願は、１つ以上の実装に関して示されたが、添付の特許請求の範囲の趣旨および範囲から逸脱することなく例証される実施例に変更および／または修正がなされ得る。加えて、本発明の特定の特徴がいくつかの実装形態／実施形態のうちの少なくとも１つに関して開示され得たが、このような特徴は、任意の所定の機能または特定の機能に所望され、または有利であり得るように他の実装形態／実施形態の１つ以上の他の特徴と組み合わされ得る。用語「少なくとも１つの」は、列挙された品目のうちの１つ以上が選択され得ることを意味するために使用される。用語「約」は、変更が例証される実施形態へのプロセスまたは構造の不適合をもたらさない限り、列挙される値が多少変更され得ることを示す。最後に、「例示的な」は、説明が理想的であることを意味するのではなく一例として使用されることを示す。本発明の他の実施形態は、本明細書に開示される本発明の明細書および実践を考慮することにより当業者に明らかであろう。本明細書および実施例は、単に例示であると見なされることが意図される。
（補遺）
本発明は以下のように捉えることもできる。
（１）曲線状に配設された複数の固定Ｘ線源と、前記複数のＸ線源に対して回転するように構成された検出器とを含む、放射線ＣＴ撮像システムによって放射線検査を実行する方法であって、前記放射線検査方法は、
前記複数のＸ線源および前記検出器を用いて第１の回転速度で第１の走査を実行して、前記検出器に衝突する前記複数のＸ線源による第１の放射を用いて対象の第１の視野（ＦＯＶ）の第１のＣＴ投影データを取得することと、
前記第１のＦＯＶ内の関心平面を識別することと、
前記複数の固定Ｘ線源および前記検出器を用いて第２の回転速度で第２の走査を実行して、前記検出器の一部分に衝突する前記複数のＸ線源による第２の放出物を用いて前記第１のＦＯＶ内の前記関心平面を含む第２のより小さいＦＯＶの第２のＣＴ投影データを取得することであって、前記第２の回転速度は、前記第１の回転速度を超える、データを取得することと、
前記検出器から前記第１のＣＴ投影データおよび前記第２のＣＴ投影データの前記データを出力することと、を含む、方法。
（２）前記第１の走査および前記第２の走査中に、前記固定された複数のＸ線源とは独立に前記検出器を回転させることをさらに含む、（１）に記載の方法。
（３）第１の照射角度が、前記複数のＸ線源からの前記第１の放射の断面を制限するように少なくとも１つの空間的制約デバイスによって前記第１の走査期間中に維持され、
第２の照射角度が、前記複数のＸ線源からの前記第２の放射の断面を制限するように前記少なくとも１つの空間的制約デバイスによって前記第２の走査期間中に維持される、（１）に記載の方法。
（４）  前記第１の放射および前記第２の放射は、重複するＦＯＶの容積測定画像を決定する、（１）に記載の方法。
（５）前記第２の走査で前記第２のＦＯＶを得る前に、前記第１のＦＯＶに対して前記複数のＸ線源および前記検出器を移動させることさらに含み、前記複数のＸ線源は、前記第２の走査で前記関心平面と位置合わせされる、（１）に記載の方法。
（６）前記第２の走査で前記第２のＦＯＶを得る前に、前記複数のＸ線源および前記検出器に対して相対的に対象を移動させることをさらに含む、（１）に記載の方法。
（７）前記検出器は、（ｉ）前記第１の走査および前記第２の走査の各々の間中無線で、（ｉｉ）前記第１の走査および前記第２の走査の各々の後無線で、または（ｉｉｉ）前記第１の走査および前記第２の走査の各々の後ドック入れされ接続された位置から、第１のＣＴ投影データおよび第２のＣＴ投影データを出力するように構成される、（１）に記載の方法。
（８）前記複数のＸ線源は、前記第１の走査および前記第２の走査の両方の間中、順に発射され、前記検出器は、電池式であり、前記第１のＣＴ投影データおよび前記第２のＣＴ投影データの前記データを無線で出力する、（１）に記載の方法。
（９）コントラスト剤を注入して、前記第２のＣＴ走査中にコントラスト取り込みおよびコントラスト流出を定量的に測定することをさらに含み、前記第２のＣＴ走査は、所定の時間間隔で複数回、前記第２の走査を繰り返し実行することを含む、（１）に記載の方法。
（１０）前記複数のＸ線源のサブセットは各々、前記第２の走査中に異なるエネルギーで放射を行い、前記第２の走査の各々で前記検出器の各回路が前記複数のＸ線源の通過するのは３秒未満であること、を含む、（９）に記載の方法。
（１１）放射線ＣＴ撮像システムであって、
曲線状に配設された複数のＸ線源放射と、
前記複数のＸ線源放射に対して回転するように構成された電池式の検出器と、
前記複数のＸ線源放射の断面を制限する少なくとも１つの空間的制約デバイスと、を備え、
前記複数のＸ線源放射、前記検出器、および前記少なくとも１つの空間的制約デバイスは、（ｉ）前記検出器に衝突する前記曲面状に配設されたＸ線源放射の第１の放射の第１の視野（ＦＯＶ）を得る第１の構成、および（ｉｉ）前記検出器に衝突する前記曲面状に配設されたＸ線源放射の第２の放射の第２のより小さいＦＯＶを得る第２の構成の両方で構成され、
前記第１の放射および前記第２の放射は、重複するＦＯＶの容積測定画像を決定する、放射線ＣＴ撮像システム。
（１２）  第１の走査は、前記第１の構成内の第１の湾曲した空間的配列で複数のＸ線源を用いて第１の回転速度で実行され、第２の走査のより速い走査は、前記第２の構成内の前記第１の湾曲した空間的配列で前記複数のＸ線源を用いて第２の回転速度で実行される、（１１）に記載の放射線ＣＴ撮像システム。
（１３）前記複数のＸ線源および前記検出器は、前記第２の走査で前記第２のＦＯＶを得る前に前記第１のＦＯＶに対して移動される、（１２）に記載の放射線ＣＴ撮像システム。
（１４）前記複数のＸ線源は、連続的閉曲面状に固定され、前記検出器は、前記固定された複数のＸ線源に対して機械的に独立して回転するように構成され、前記放射線ＣＴ撮像システムは、ＣＢＣＴシステムであり、前記ＣＢＣＴシステムは、第１の容積測定放射線撮像モード、第２の汎用放射線撮像モード、または第３の透視放射線撮像モードの各々で動作するように構成される、（１２）に記載の放射線ＣＴ撮像システム。
（１５）前記検出器は、（ｉ）前記第１の走査および前記第２の走査の各々の間中無線で、（ｉｉ）前記第１の走査および前記第２の走査の各々の後無線で、または（ｉｉｉ）前記第１の走査および前記第２の走査の各々の後ドック入れされ接続された位置から、前記第１の構成内の第１のＣＴ投影データおよび前記第２の構成内の第２のＣＴ投影データを出力するように構成される、（１１）に記載の放射線ＣＴ撮像システム。
（１６）前記少なくとも１つの空間的制約デバイスは、複数のコリメータを含み、
各コリメータは、前記第１のＦＯＶの前記第１の構成および前記第２のＦＯＶの前記第２の構成の各々に対する前記検出器に向かってＸ線のビームをコリメートするように少なくとも１つの関連付けられたＸ線源と協調して動作するように構成される、（１１）に記載の放射線ＣＴ撮像システム。
（１７）前記複数の曲線状に配設されたＸ線源放射は、単一電池式のＸ線源によって提供される、（１１）に記載の放射線ＣＴ撮像システム。
（１８）前記少なくとも１つの空間的制約デバイスは、複数のコリメータを含み、
各コリメータは、前記第１のＦＯＶの前記第１の構成および前記第２のＦＯＶの前記第２の構成の各々に対する（患者）検出器に向かってＸ線のビームをコリメートするように２つ以上の関連付けられたＸ線源と協調して動作するように構成される、（１１）に記載の放射線ＣＴ撮像システム。
（１９）前記少なくとも１つの空間的制約デバイスは、前記第１の構成内の少なくとも第１の位置と前記第２の構成内の第２の位置との間で角度を成して移動する少なくとも１つのコリメータを含み、前記第２の位置は、前記第１のＦＯＶ内の関心区域に基づいている、（１１）に記載の放射線ＣＴ撮像システム。